(57)【特許請求の範囲】
【請求項１】
車両キャビン（３０）を有する少なくとも一つの車両（３）を含む人員輸送用のケーブルカーシステムであって、前記車両が、ある時点で輸送ケーブル（２）に結合されるか、前記輸送ケーブルに結合された運搬ケーブルによって、少なくとも一つの搬送ケーブルまたは軌道に沿って輸送され、ある時点で前記輸送ケーブル（２）または前記運搬ケーブルに結合されて、駅では前記輸送ケーブル（２）または前記運搬ケーブルから分離され、前記駅内を移動し、乗客が前記車両に乗降する少なくとも一つの乗降車エリア（１１）を通過し、前記輸送ケーブル（２）または前記運搬ケーブルに再結合されて前記駅から離れ、前記乗降車エリア（１１）には、前記少なくとも一つの車両（３）の方向に移動して少なくともほぼ前記車両（３）の速度で移動するコンベヤ（１０）が設けられ、前記コンベヤにより、前記乗降車エリアを通過する前記少なくとも一つの車両キャビン（３０）に乗降する前記乗客が前記車両（３）の移動方向に移動する、ケーブルカーシステムにおいて、
前記少なくとも一つの車両（３）の移動経路と前記乗降車エリアとの間には、前記車両キャビン（３０）の移動経路のすぐそばに設置された、駅舎（１）の壁（１２）が前記乗客のために設けられ、前記壁（１２）により、前記乗降車エリア（１１）にいる前記乗客が、一方では駅舎（１）の外側に広がる気候条件に対して、他方では前記ケーブルカーシステムの動作により生じる音響放出に対して大いに保護されて、
前記乗客が前記乗車エリア（１１）から前記少なくとも一つの車両キャビン（３０）へ、または前記キャビンから前記降車エリア（１１）へ移動するための少なくとも一つの開口部（１３）が前記壁（１２）に構成され、前記コンベヤ（１０）が前記少なくとも一つの開口部（１３）内に設置されて、前記開口部（１３）の端壁と前記乗客の衝突が回避されるように、前記少なくとも一つの開口部（１３）の長さの一部のみにわたって前記車両（３）の前記移動方向に前記コンベヤが延在する
ことを特徴とする、ケーブルカーシステム。
【請求項２】
前記コンベヤ（１０）が、前記少なくとも一つの開口部（１３）の長さのほぼ３分の２のみにわたって前記車両（３）の前記移動方向に延在することを特徴とする、請求項１に記載のケーブルカーシステム。
【請求項３】
前記少なくとも一つの車両（３）が前記乗降車エリア（１１）を通過するのと同じ速度で前記コンベヤ（１０）が移動することを特徴とする、請求項１および２の一項に記載のケーブルカーシステム。
【請求項４】
前記コンベヤ（１０）の長さの半分と全長との間である幅を前記コンベヤ（１０）が有することを特徴とする、請求項１から３の一項に記載のケーブルカーシステム。
【発明の詳細な説明】
【技術分野】
【０００１】
本発明は、車両キャビンを備える構成を持つ少なくとも一つの車両を含む人員輸送用のケーブルカーシステムに関しており、車両は、ある時点で輸送ケーブルに結合されるか、輸送ケーブルに結合された運搬ケーブルによって少なくとも一つの搬送ケーブルまたは軌道に沿って輸送され、ある時点で車両は輸送ケーブルまたは運搬ケーブルに結合され、駅では輸送ケーブルまたは運搬ケーブルから分離され、駅内を移動し、乗客が車両に乗降する少なくとも一つの乗降車エリアを通過し、ここで輸送ケーブルまたは運搬ケーブルに再結合されて駅から離れ、乗降車エリアにはコンベヤが設けられ、コンベヤは、少なくとも一つの車両の方向に移動して少なくともほぼ車両の速度で移動し、コンベヤにより、乗降車エリアを通過する少なくとも一つの車両キャビンに出入りする乗客がそれぞれ車両の移動方向に移動する。
【背景技術】
【０００２】
このタイプのケーブルカーシステムは、例えば特許文献１から周知である。
【０００３】
このタイプの周知のケーブルカーシステムにおいて、車両に搭乗する乗客はプラットフォームに立ち、このプラットフォームを通過する車両キャビンにこのプラットフォームから乗客が乗り込むか、移動中の車両キャビンから出た乗客がこのプラットフォームに到着する。乗客の乗車または降車を可能にするため、車両は、例えば０．３ｍ／秒という比較的低い速度でプラットフォームを通過する。動作に必要なこの低速の結果として、ケーブルカーシステムの輸送能力は制限される。この低速にも関わらず、乗車および降車は、ハンディキャップのある乗客、特に車椅子に乗った乗客にとって困難である。ハンディキャップのない人にとっても、車両の移動は、乗車または降車中の乗客にストレスを引き起こす。
【０００４】
輸送能力に関する限り、乗降車エリアの長さと、ここに割り当てられてプラットフォームを通過する車両の数とを増加させることにより、これは増大されうる。特に車両に乗り込む時に乗客に引き起こされるストレスに関する限り、プラットフォームを通過する車両の速度をさらに低下させることによってのみ、これが軽減されうる。
【０００５】
コンベヤの結果、車両キャビンへの出入りは乗客にとって著しく容易になる。
【先行技術文献】
【特許文献】
【０００６】
【特許文献１】国際公開第２００９／０８２８２７Ａ１号
【発明の概要】
【発明が解決しようとする課題】
【０００７】
しかし、乗車および降車エリアは駅舎の外側に設置されているため、乗客は、駅舎の外側に広がる気候および音響条件にさらされるので、周知のケーブルカーシステムは快適性改善の要件を満たしていない。本発明の目的は、これに関して快適性の著しい向上をもたらすことである。少なくとも一つの車両の移動経路と乗降車エリアとの間に、スクリーン、特に壁が乗客のために設けられ、このスクリーンにより乗降車エリアに存在している乗客は、一方では駅舎の外側に広がる気候条件に対して、他方ではケーブルカーシステムの動作により生じる音響放出に対して、大いに保護され、乗客が乗車エリアから少なくとも一つの車両キャビンへ、またはこのキャビンから降車エリアへ移動するための少なくとも一つの開口部がスクリーンに構成され、コンベヤがこの少なくとも一つの開口部に設置されて、この少なくとも一つの開口部の長さの一部のみにわたって車両の移動方向に延在するという事実のため、本発明によりこれが達成される。
【課題を解決するための手段】
【０００８】
こうして、駅舎の外側に広がる気候および音響条件に乗客がさらされないことが保証される。
【０００９】
好ましくは、少なくとも一つの開口部の長さのほぼ３分の２のみにわたって、コンベヤが車両の移動方向に延在する。
【００１０】
さらに好適な特徴によれば、コンベヤは、乗降車エリアを通過する少なくとも一つの車両と同じ速度で移動する。すなわち、コンベヤは、コンベヤの長さの半分と全長との間である幅を有する。
【００１１】
本発明によるケーブルカーシステムが、図面に描かれている例示的実施形態を参照して以下でより詳細に説明される。
【図面の簡単な説明】
【００１２】
【図１】本発明によるケーブルカーシステムの駅を軸測図で示す。
【発明を実施するための形態】
【００１３】
図１には、駅舎１を有するケーブルカーシステムの駅が表示されている。ケーブルカーシステムは輸送ケーブル２を備える構成を持ち、この輸送ケーブルには、ある時点で、車両キャビン３０を有する車両３が結合される。駅では、偏向プーリ２１を経て輸送ケーブル２が誘導される。偏向プーリ２１の少なくとも一つが駆動される。輸送ケーブル２は、例えば７ｍ／秒から１０ｍ／秒の一定速度で移動する。車両３は、矢印Ａの方向に移動する。
【００１４】
駅では、車両３が、輸送ケーブル２から分離された後に、誘導レール４に沿って駅内を移動する。輸送ケーブル２からの車両３の分離の後に、車両３の速度が減速タイヤ４１によって約０．３ｍ／秒まで低下する。この速度で、車両３は輸送タイヤ４２によって乗客用の乗降車エリアを通過する。続いて、車両３の速度は加速タイヤ４３によって輸送ケーブル２の速度まで上昇し、ここで車両３は輸送ケーブル２に再結合される。
【００１５】
車両キャビン３０への乗り込みのため、またはこれから降りた後に、乗客はそれぞれ駅舎１の中に設置された乗降車エリア１１に立つ。
【００１６】
駅舎１は、車両キャビン３０の移動経路のすぐそばに設置された壁１２により、車両３の移動経路から遮断されている。この壁１２には、乗客が乗車エリア１１から車両キャビン３０へ乗り込むか、車両キャビン３０から降車エリア１１へ出るための開口部１３が設けられている。
【００１７】
壁１２の結果、乗降車エリア１１に存在している乗客は、一方では駅舎１の外側に広がる気候条件から、また他方ではケーブルカーシステムの動作により生じる音響放出から、大いに保護されていると感じる。
【００１８】
壁１２と車両キャビン３０との間の距離はわずか数センチメートルであるので、乗客は、車両キャビン３０に搭乗する時とこれから降りる時に、気候および音響による不快感から保護される。
【００１９】
開口部１３の領域には、少なくとも車両３とほぼ同じ速度で、ゆえに例えば０．３ｍ／秒の速度で、車両３と同じ方向に移動するコンベヤ１０が見られる。そのため車両キャビン３０に接近しようとする乗客は、とりあえずコンベヤ１０に足を乗せる。乗客がコンベヤ１０に乗るとすぐに、コンベヤは車両キャビン３０とほぼ同じ速度で移動するため、乗客はストレスなく車両キャビン３０に乗り込むことができる。これはとりわけ、可動性が制約されている乗客に当てはまる。車両キャビン３０を離れる乗客にも同じことが当てはまる。コンベヤ１０に足を乗せるかこれから離れることは、ドア開口部からの車両キャビン３０への搭乗よりも容易であるので、車両３およびコンベヤ１０の速度をこうして上昇させることができ、そのためケーブルカーシステムの輸送能力の増大も達成可能である。
【００２０】
好ましくは、開口部１３の長さの一部のみにわたってコンベヤ３０が開口部１３に延在しているため、輸送方向に設置されている開口部１３の端壁と乗客の衝突が回避される。好ましくは、コンベヤ１０の長さは、開口部１３の長さの約５０％から８０％、特に７０％になる。
【符号の説明】
【００２１】
１  駅舎
２  輸送ケーブル
３  車両
４  誘導レール
１０  コンベヤ
１１  乗降車エリア
１２  壁
１３  開口部
２１  偏向プーリ
３０  車両キャビン
４１  減速タイヤ
４２  輸送タイヤ
４３  加速タイヤ
Ａ  移動方向
【図１】
0006353083.tif 000002